(57)【特許請求の範囲】
【請求項１】
レンジフードのフード内の排気口に着脱可能に配設されている剛性を有するフィルタ本体の表面を覆うためのレンジフード用カバーであって、
一対のアルミニウム箔製枠体と、各枠体の開口部をそれぞれ覆う不織布からなるフィルタ部材からなり、前記一対のアルミニウム箔製枠体のうち一方のアルミニウム箔製枠体の上下の外周縁に外巻又は内巻の縁巻部が形成され、他方のアルミニウム箔製枠体の上下の外周縁に前記一方のアルミニウム箔製枠体の上下の外周縁に形成された外巻又は内巻の縁巻部を覆うことが可能な内巻の縁巻部が形成され、
前記他方のアルミニウム箔製枠体の上下の外周縁に形成された内巻の縁巻部に、前記一方のアルミニウム箔製枠体の上下の外周縁に形成された外巻又は内巻の縁巻部が摺動自在に嵌められて一体化可能な構成とされ、さらに一体化した一対のアルミニウム箔製枠体を相互にスライドさせることが可能な構成とされ、
前記一対のアルミニウム箔製枠体には、レンジフードのフード内の排気口に着脱可能に配設されている剛性を有するフィルタ本体に取り付けた時に前記フィルタ本体の表面に設けられたツマミ部を覆うためのツマミ部収容部が設けられており、
前記ツマミ部収容部は、一方のアルミニウム箔製枠体の下部の外周縁より内側に設けられて該枠体の幅方向に延びる第１の凸条と、他方のアルミニウム箔製枠体の下部の外周縁より内側に設けられて該枠体の幅方向に延びる第２の凸条とからなり、前記他方のアルミニウム箔製枠体に形成された第２の凸条に、前記一方のアルミニウム箔製枠体に形成された第１の凸条を摺動自在に嵌め入れ可能な構成とされたことを特徴とするレンジフード用カバー。
【請求項２】
前記他方のアルミニウム箔製枠体の上下の外周縁に形成された内巻の縁巻部の先端に外巻又は内巻の縁巻部が形成されていることを特徴とする請求項１記載のレンジフード用カバー。
【請求項３】
前記一対のアルミニウム箔製枠体には一体化後の一対のアルミニウム箔製枠体の離間を防止するストッパーが複数設けられ、
各ストッパーは一方のアルミニウム箔製枠体の幅方向の端部のうち他方のアルミニウム箔製枠体と一体化したときに他方のアルミニウム箔製枠体側となる端部に設けられた第１の係止用凸部と、前記他方のアルミニウム箔製枠体の幅方向の端部のうち他方のアルミニウム箔製枠体と一体化したときに一方のアルミニウム箔製枠体側となる端部に設けられた第２の係止用凸部とからなり、前記第１の係止用凸部は一対のアルミニウム箔製枠体を一体化させたとき他方のアルミニウム箔製枠体側に突出しており、前記第２の係止用凸部は前記一方のアルミニウム箔製枠体側に突出しており、一体化後の一対のアルミニウム箔製枠体を最大幅まで相互にスライドさせたときに前記第１と第２の係止用凸部同士が突きあわされて一方のアルミニウム箔製枠体が他方のアルミニウム箔製枠体から抜けるのを防止可能な構成とされたことを特徴とする請求項１又は２に記載のレンジフード用カバー。
【発明の詳細な説明】
【０００１】
【発明の属する技術分野】
本発明は、レンジフードのフード内の排気口に着脱可能に配設されているフィルタ本体の表面を覆うためレンジフード用カバーに関する。
【０００２】
【従来の技術】
レンジフードは、水蒸気、埃、油煙などを吸い込むため、汚れが激しく、掃除に大きな労力を要する。そのため、レンジフードの排気口に取り付けられた金属製フィルタ本体にレンジフード用カバーを取り付けることにより、金属製フィルタ本体を汚れにくくし、レンジフード用カバーが埃や油煙などで汚れた場合は、このレンジフード用カバーのみを交換するようにしていた。
【０００３】
従来のレンジフード用カバーとしては図１２に示すようなレンジフード用カバーが知られている。
このレンジフードカバーは、図１２（Ａ）に示すように外周縁にそれぞれ内巻縁巻部６２が形成された一対のアルミニウム箔製の枠体６０、６０と、各枠体６０の開口部６３をそれぞれ覆う不織布からなるフィルタ部材６５と、上記一対の枠体６０、６０を連結（一体化）するための断面略Ｅ字状の二つの連結用クリップ６６、６６とからなる。図１２（Ｂ）に示すように上側の連結用クリップ６６の上側の嵌合溝６６ａに紙面の右側の枠体６０の左側の端部の上部の内巻縁巻部６２ａが嵌められて固定されており、下側の嵌合溝６６ｂに紙面の左側の枠体６０の上部の内巻縁巻部６２ａが摺動可能に嵌められており、同様に下側の連結用クリップ６６の上側の嵌合溝６６ａに紙面の右側の枠体６０の左側の端部の下部の内巻縁巻部６２ｂが嵌められて固定されており、下側の嵌合溝６６ｂに紙面の左側の枠体６０の下部の内巻縁巻部６２ｂが摺動可能に嵌められることにより、一対の枠体６０、６０を相互にスライドさせることができるような構成とされている。また、右側の枠体６０の右側の端部裏面には磁石６７が設けられており、左側の枠体６０の左側の端部裏面にも磁石６７が設けられている。
【０００４】
図１２に示すようなレンジフードカバーをレンジフードのフード内の排気口に配設された金属製フィルタ本体に取り付けるには、一対の枠体６０、６０を相互にスライドさせてフィルタ本体の幅（左右方向の大きさ）に合わせた後、このレンジフードカバーでフィルタ本体の表面を覆うとともに左右に設けられた磁石６７、６７をフィルタ本体に吸着させることにより取り付けることができる。
しかしながら図１２に示すレンジフードカバー（連結用クリップ２個使用タイプ）においては、金属製フィルタ本体に取り付ける際に一対の枠体６０、６０の左右方向の端部のうち連結用クリップ６６、６６で連結されていない方の端部、具体的には図１２の右側の枠体６０の右側の端部と、左側の枠体６２の右側の端部が位置ずれし易く、取り付けにくく、使い勝手において不満があった。
【０００５】
従来のレンジフード用カバーのその他の例としては、図１３に示すようなものがある。
図１３のレンジフード用カバーが、図１２に示すレンジフード用カバーと異なるところは、一対のアルミニウム箔製の枠体６０、６０の外周縁に外巻縁巻部７２が形成されており、また、上記一対の枠体６０、６０を連結（一体化）するための二つの爪部と一つの断面つ字状爪部を有する連結用クリップ７６が４個設けられており、これら４個の連結用クリップ７６・・・により一対の枠体６０、６０の左右方向の端部が摺動可能に連結（一体化）されている点である。
【０００６】
これら４個の連結用クリップ７６・・・で一対の枠体６０、６０を連結するには、図１３（Ｂ）に示すように左側の上部に設けられた連結用クリップ７６については二つの爪部７６ａ、７６ａを右側の枠体６０の左側の端部の上部の外巻縁巻部７２ａ近傍に形成された差込孔７７、７７にそれぞれ差し込んだ後、これら爪部７６ａ、７６ａを折り曲げて固定し、ついで断面つ字状爪部７６ｂを左側の枠体６０の左側の端部の上部の外巻縁巻部７２ａに摺動可能に嵌められており、同様に左側の下部に連結用クリップ７６については二つの爪部７６ａ、７６ａを右側の枠体６０の左側の端部の下部の外巻縁巻部７２ｂ近傍に形成された差込孔７７、７７にそれぞれ差し込んだ後、これら爪部７６ａ、７６ａを折り曲げて固定し、ついで断面つ字状爪部７６ｂを左側の枠体６０の左側の端部の下部の外巻縁巻部７２ａに摺動可能に嵌めている。右側の上下に設けられた連結用クリップ７６、７６については二つの爪部７６ａ、７６ａを差し込むのが左側の枠体６０の外巻縁巻部近傍に形成された差込孔であり、断面つ字状爪部７６ｂを摺動自在嵌めるのが、右側の枠体６０の外巻縁巻部である以外は同様にして一対の枠体６０、６０を連結している。
【０００７】
しかしながら図１３に示すようなレンジフード用カバー（連結用クリップ４個使用タイプ）においては、金属製フィルタ本体に取り付けるときの一対の枠体６０、６０の端部の位置ずれは解決できるものの、連結用クリップ７６を４個使用しているためにその分コストがかかり、またこれらの連結用クリップ７６・・・を枠体６０、６０に取り付けるための手間がかかるとという問題があった。
【０００８】
従来のレンジフード用カバーのさらにその他の例としては、図１４に示すような実開平６−３５８４２号のものある。
図１４のレンジフード用カバーが、図１２乃至図１３に示すレンジフード用カバーと異なるところは、一対の枠体６０、６０のうち右側の枠体６０の左側の端部の上部と下部にこの枠体６０と一体に形成された舌片８６、８６が設けられており、左側の枠体６０の右側の端部の上部と下部にこの枠体６０と一体に形成された舌片８６、８６が設けられている点である。
これら４個の舌片８６で一対の枠体６０、６０を連結（一体化）するには、一対の枠体６０、６０を重ね合わせた後、これら舌片８６・・・を他方の枠体６０側に折り曲げて他方の枠体６０の外周縁に被せることにより、一対の枠体６０、６０の左右方向の端部が摺動可能に連結している。
しかしながら図１４に示すようなレンジフード用カバー（一体成形型舌片４個使用タイプ）においては一対の枠体６０、６０を連結（一体化）するために舌片８６・・・を折り曲げる作業が面倒であり、また、各舌片８６は薄いアルミニウム箔であるために強度が弱いため、破れ易いという問題があった。また、
【０００９】
従来のレンジフード用カバーのさらにその他の例としては、図１５に示すような実開平３−４２９１６号にものがある。
図１５のレンジフードカバーが図１３に示すレンジフード用カバーと異なるところは、一方（左側）の枠体６０の左側の端部と、他方（右側）の枠体６０の右側の端部が、それぞれ手前に折り曲げられており、これら折り曲げ部６０ａ、６０ａの裏側にそれぞれ磁石６７、６７が設けられており、また、図１５（Ｂ）にしめすように一方の枠体６０の上部の外巻縁巻部７２ａに他方の枠体６０の上部の外巻縁巻部７２ａが摺動自在に嵌められており、一方の枠体６０の下部の外巻縁巻部７２ｂに他方の枠体６０の下部の外巻縁巻部７２ｂが摺動自在に嵌められることにより、一対の枠体６０、６０を相互にスライドさせることができるような構成とされている点である。
すなわち図１５のレンジフードカバーでは、一方の枠体６０の上部の周縁と、他方の枠体６０の上部の周縁は、重ねた状態で外巻に縁巻されたようになっており、一方の枠体６０の外巻縁巻部７２ａと他方の枠体６０の外巻縁巻部７２ａの断面形状が殆ど同じような形状となっている。
【００１０】
また、このレンジフード用カバーでは、連結（一体化）した一対の枠体６０、６０の離間を防止するためのストッパー８０が形成されている。このストッパー８０は、一方（左側）の枠体６０の右側の端部を外側に折り返した折り返し片８０ａと、他方（右側）の枠体６０の左側の端部を内側に折り返した折り返し片８０ｂからなり、連結した一対の枠体６０、６０を幅が広くなるようにスライドさせていくと、最後にこれら折り返し片８０ａ、８０ｂが互いに係止し合うようになっている。
【００１１】
しかしながら図１５のレンジフード用カバー（上下同時に縁巻タイプ）においては、一方の枠体６０の外巻縁巻部７２ａと他方の枠体６０の外巻縁巻部７２ａの形状が殆ど同じような形状であるため、接触面積が多く、このためこれら枠体６０、６０をスライドさせる際にスライドさせにくく、また、これら一対の枠体６０、６０を一旦離間させてしまうと、再度左右の外巻縁巻部を嵌合して枠体を連結するときに連結しずらいといった不都合があった。
また、図１５（Ｃ）に示すようなストッパー８０ではこれら折り返し片８０ａ、８０ｂは薄いアルミニウム箔であるために強度が弱いため枠体の離間防止効果が小さく、はずれ易いものであった。
また、図１２乃至図１５に示した従来のレンジフード用カバーは、いずれもレンジフードのフード内の排気口に配設された金属製フィルタ本体のスリット部（編目部）については覆うことができるものの、この金属製フィルタ本体に設けられたツマミ部（金属製フィルタを排気口から外す際等につまむもの）については覆うことができないため、このツマミ部に油煙等が付着して汚れるため、金属製フィルタ本体を清掃等の理由で排気口から取り外す際に手が汚れてしまうという問題があった。
【００１２】
【発明が解決しようとする課題】
本発明は、上記事情に鑑みてなされたもので、連結用クリップを使用することなく一対のアルミニウム箔製枠体を一体化でき、しかも一体化した一対のアルミニウム箔製枠体をスムーズに相互にスライドさせることができ、また、一対のアルミニウム箔製枠体の離間後は再度一体化させ易く、コストダウンが可能なレンジフード用カバーの提供を目的の一つとする。
また、本発明はレンジフードのフード内の排気口に配設された金属製フィルタ本体に設けられたツマミ部の汚れを防止できるレンジフード用カバーの提供を目的の一つとする。
また、本発明は一体化後の一対のアルミニウム箔製枠体の離間防止効果を向上させたレンジフード用カバーの提供を目的の一つとする。
【００１３】
【課題を解決するための手段】
本発明は、レンジフードのフード内の排気口に着脱可能に配設されている剛性を有するフィルタ本体の表面を覆うためのレンジフード用カバーであって、一対のアルミニウム箔製枠体と、各枠体の開口部をそれぞれ覆う不織布からなるフィルタ部材からなり、上記一対のアルミニウム箔製枠体のうち一方のアルミニウム箔製枠体の上下の外周縁に外巻又は内巻の縁巻部が形成され、他方のアルミニウム箔製枠体の上下の外周縁に上記一方のアルミニウム箔製枠体の上下の外周縁に形成された外巻又は内巻の縁巻部を覆うことが可能な内巻の縁巻部が形成され、上記他方のアルミニウム箔製枠体の上下の外周縁に形成された内巻の縁巻部に、上記一方のアルミニウム箔製枠体の上下の外周縁に形成された外巻又は内巻の縁巻部が摺動自在に嵌められて一体化可能な構成とされ、さらに一体化した一対のアルミニウム箔製枠体を相互にスライドさせることが可能な構成とされ、上記一対のアルミニウム箔製枠体には、レンジフードのフード内の排気口に着脱可能に配設されている剛性を有するフィルタ本体に取り付けた時に上記フィルタ本体の表面に設けられたツマミ部を覆うためのツマミ部収容部が設けられており、上記ツマミ部収容部は、一方のアルミニウム箔製枠体の下部の外周縁より内側に設けられて該枠体の幅方向に延びる第１の凸条と、他方のアルミニウム箔製枠体の下部の外周縁より内側に設けられて該枠体の幅方向に延びる第２の凸条とからなり、上記他方のアルミニウム箔製枠体に形成された第２の凸条に、上記一方のアルミニウム箔製枠体に形成された第１の凸条を摺動自在に嵌め入れ可能な構成とされたことを特徴とするレンジフード用カバーを上記課題の解決手段とした。
【００１４】
かかる構成のレンジフード用カバーによれば、上記他方のアルミニウム箔製枠体の上下の外周縁に形成された内巻の縁巻部に、上記一方のアルミニウム箔製枠体の上下の外周縁に形成された外巻又は内巻の縁巻部を嵌めるだけで容易に一体化できるので、連結用クリップが不要で、連結用クリップを使用する図１２や図１３に示したような従来のレンジフード用カバーに比べて低コストとすることができる。また、上記一方のアルミニウム箔製枠体と他方のアルミニウム箔製枠体とは上記のように上記他方のアルミニウム箔製枠体に形成された内巻の縁巻部に、上記一方のアルミニウム箔製枠体に形成された外巻又は内巻の縁巻部を嵌めるだけで容易に一体化できるので、図１４に示したようなレンジフード用カバーのように舌片を折り曲げるような作業もなく、一対のアルミニウム箔製枠体を一体化するために手間がかからない。また、一体化後の一対のアルミニウム箔製枠体においては上記他方のアルミニウム箔製枠体の内巻の縁巻部と、これに嵌められた上記一方のアルミニウム箔製枠体の外巻又は内巻の縁巻部との接触面積が小さく、図１５に示したような従来のレンジフード用カバーに比べて一対のアルミニウム箔製枠体をスムーズに相互スライドさせることができ、また、一体化した一対のアルミニウム箔製枠体を離間後に再度一体化する際に上記他方のアルミニウム箔製枠体の内巻の縁巻部に、上記一方のアルミニウム箔製枠体の外巻又は内巻の縁巻部を容易に嵌合することができるため、再度一体化させ易い。
また、このレンジフード用カバーによれば、上記のような構成のツマミ部収容部が設けられたことにより、このレンジフード用カバーをレンジフードのフード内の排気口に配設されたフィルタ本体に取り付けたときにこのフィルタ本体に設けられたツマミ部が上記ツマミ部収容部で覆われるので、上記フィルタ本体のツマミ部に油煙等が付着して汚れるのを防止でき、上記フィルタ本体を清掃等の理由で排気口から取り外す際に手が汚れるのを防止できる。
【００１５】
また、上記構成の本発明のレンジフード用カバーにおいては、上記他方のアルミニウム箔製枠体の上下の外周縁に形成された内巻の縁巻部の先端に外巻又は内巻の縁巻部が形成されていることが、この他方のアルミニウム箔製枠体の内巻の縁巻部の補強効果があり、他方のアルミニウム箔製枠体の内巻の縁巻部の強度を向上でき、一対のアルミニウム箔製枠体を繰り返しスライドさせてもこの他方のアルミニウム箔製枠体の内巻の縁巻部の変形や破れを防止できる点で好ましい。
【００１７】
また、上記第１の凸条と上記第２の凸条には、上記第１の凸条を上記第２の凸条に嵌め入れるときに位置合わせを容易にするための段部が設けられていることが好ましい。また、このように第１の凸条と第２の凸条にそれぞれ段部が設けられていると、該第１の凸条を第２の凸条に嵌め入れて摺動させるときにこれら第１と第２の凸条の位置ずれが起こりにくい。
【００１８】
また、上記構成の本発明のレンジフード用カバーにおいては、上記一対のアルミニウム箔製枠体には一体化後の一対のアルミニウム箔製枠体の離間を防止するストッパーが複数設けられ、
各ストッパーは一方のアルミニウム箔製枠体の幅方向の端部のうち他方のアルミニウム箔製枠体と一体化したときに他方のアルミニウム箔製枠体側となる端部に設けられた第１の係止用凸部と、上記他方のアルミニウム箔製枠体の幅方向の端部のうち他方のアルミニウム箔製枠体と一体化したときに一方のアルミニウム箔製枠体側となる端部に設けられた第２の係止用凸部とからなり、上記第１の係止用凸部は一対のアルミニウム箔製枠体を一体化させたとき他方のアルミニウム箔製枠体側に突出しており、上記第２の係止用凸部は上記一方のアルミニウム箔製枠体側に突出しており、一体化後の一対のアルミニウム箔製枠体を最大幅まで相互にスライドさせたときに上記第１と第２の係止用凸部同士が突きあわされて一方のアルミニウム箔製枠体が他方のアルミニウム箔製枠体から抜けるのを防止可能な構成とされていることが図１５（Ｃ）に示すようなストッパー８０が設けられた従来のレンジフード用カバーに比べて一体化後の一対のアルミニウム箔製枠体の離間防止効果を向上できる点で好ましい。
【００１９】
上記第１と第２の係止用凸部はそれぞれ切り越こしから形成されており、一体化後の一対のアルミニウム箔製枠体を最大幅幅まで相互にスライドさせたときの上記第１と第２の係止用凸部の突き合わせ面には、切り起こしにより形成された開口部同士が対向しているものであることが、一体化後の一対のアルミニウム箔製枠体の離間防止効果を向上できる点で好ましい。
【００２０】
上記一方のアルミニウム箔製枠体に設けられた第１の係止用凸部は、上記枠体の幅方向に沿った長尺の溝を有するものであってもよい。このように第１の係止用凸部が長尺の溝を有していると、ストッパーとしての機能を備えるうえ、一対のアルミニウム箔製枠体を相互にスライドさせる際にスライドさせ易い。
【００２１】
上記複数のストッパーのうち少なくとも一つのストッパーは上記ツマミ部収容部に設けられていてもよい。
上記ツマミ部収容部に設けられたストッパーを構成する第１の係止用凸部は上記枠体の幅方向に沿った長尺の溝を有するものであり、該第１の係止用凸部および長尺の溝が上記ツマミ部収容部を構成する第１の凸条に形成されていてもよい。
このように第１の凸条に形成された第１の係止用凸部が長尺の溝を有していると、ストッパーとしての機能を備えることができる以外に上記第１の凸条を第２の凸条に嵌め入れて摺動させたときに易摺動性とすることができる。
【００２２】
【発明の実施の形態】
以下、本発明のレンジフード用カバーの実施形態例を図面に基づいて説明する。
（第１の実施形態）
図１は、本発明のレンジフード用カバーの第１の実施形態を示す図で、一対のアルミニウム箔製枠体の分離状態（一体化する前）を示す平面図である。図２は、一体化後の一対のアルミニウム箔製枠体を最大幅の９０ｃｍまで相互にスライドさせた状態を示す平面図である。図３は、一体化後の一対のアルミニウム箔製枠体を６０ｃｍ幅まで相互にスライドさせた状態を示す平面図である。図４は図３のＩＶ−ＩＶ線断面図である。
第１の実施形態のレンジフード用カバーは、図１１に示すようなレンジフード５０のフード５０ａ内の排気口５０ｂに着脱可能に配設されている金属製フィルタ本体（剛性を有するフィルタ本体）５１の表面５１ｃを覆うためのものであり、一対のアルミニウム箔製枠体１０、１０と、各枠体１０に形成された開口部１３ａ、１３ｂを覆う不織布からなるフィルタ部材１５から概略構成されている。各アルミニウム箔製枠体１０は、幅方向に長い矩形の枠状のもので、開口部１３ａが複数（図面では２個）形成されている。
【００２３】
これら一対のアルミニウム箔製枠体１０、１０のうち左側（一方）のアルミニウム箔製枠体１０（ここでの左側のアルミニウム箔製枠体とはこのレンジフード用カバーを紙面の矢印方向αから見たときに左側に配置されているものである）の上部の外周縁には外巻の縁巻部（上部の外巻の縁巻部）１２ａが形成され、下部の外周縁には外巻の縁巻部（下部の外巻の縁巻部）１２ｂが形成されている。また、右側（他方）のアルミニウム箔製枠体１０（ここでの右側のアルミニウム箔製枠体とはこのレンジフード用カバーを紙面の矢印方向αから見たときに右側に配置されているものである）の上部の外周縁には上記左側のアルミニウム箔製枠体１０に形成された上部の外巻の縁巻部１２ａを覆うことが可能な内巻の縁巻部（上部の内巻の縁巻部）１４ａが形成され、下部の外周縁には上記左側のアルミニウム箔製枠体１０に形成された下部の外巻の縁巻部１２ｂを覆うことが可能な内巻の縁巻部（下部の内巻の縁巻部）１４ｂが形成されている。
【００２４】
これら一対のアルミニウム箔製枠体１０、１０は、図４に示すように右側のアルミニウム箔製枠体１０に形成された上部の内巻の縁巻部１４ａに左側のアルミニウム箔製枠体１０に形成された上部の外巻の縁巻部１２ａが摺動自在に嵌められ、右側のアルミニウム箔製枠体１０に形成された下部の内巻の縁巻部１４ｂに左側のアルミニウム箔製枠体１０に形成された下部の外巻の縁巻部１２ｂが摺動自在に嵌められて一体化可能な構成とされ、さらに一体化した一対のアルミニウム箔製枠体１０、１０を相互にスライドさせることにより、このレンジフード用カバーを取り付けるレンジフードの幅に合わせて幅を変更できるようになっている。一体化した一対のアルミニウム箔製枠体１０、１０を相互にスライドさせるとき（一体化後の一対のアルミニウム製枠体１０、１０の左右方向の端部１０ａ１０ａが近接あるいは遠くなるようにスライドさせるとき）、上部の外巻の縁巻部１２ａが上部の内巻の縁巻部１４ａの内面に沿って摺動するとともに下部の外巻の縁巻部１２ｂが下部の内巻の縁巻部１４ｂの内面に沿って摺動するようになっており、すなわち、上部の外巻の縁巻部１２ａと上部の内巻の縁巻部１４ａとで上部のレール部が設けられており、下部の外巻の縁巻部１２ｂと下部の内巻の縁巻部１４ｂとで下部のレール部が設けられたようになっている。
【００２５】
なお、図２は、９０ｃｍ幅のレンジフードに取り付ける場合に、一体化後の一対のアルミニウム箔製枠体を最大幅の９０ｃｍまで相互にスライドさせた状態を示す平面図である。図３は、図１１に示すような６０ｃｍ幅のレンジフードに取り付ける場合に、一体化後の一対のアルミニウム箔製枠体の６０ｃｍ幅まで相互にスライドさせた状態を示す平面図である。
【００２６】
また、右側のアルミニウム箔製枠体１０の上下の外周縁に形成された内巻の縁巻部１４ａ、１４ｂの先端にそれぞれ外巻の縁巻部１６が形成されていることが、これら内巻の縁巻部１４ａ、１４ｂの補強効果があり、右側のアルミニウム箔製枠体１０の内巻の縁巻部１４ａ、１４ｂの強度を向上でき、一対のアルミニウム箔製枠体１０、１０を繰り返しスライドさせてもこの右側のアルミニウム箔製枠体１０の内巻の縁巻部１４ａ、１４ｂの変形や破れを防止できる点で好ましい。
【００２７】
一対のアルミニウム箔製枠体１０、１０には一体化後の一対のアルミニウム箔製枠体１０、１０の離間を防止するストッパー１８が上下の２カ所に設けられている。図１に示すように各ストッパー１８は左側のアルミニウム箔製枠体１０の右側の端部（一方のアルミニウム箔製枠体の幅方向の端部のうち他方のアルミニウム箔製枠体と一体化したときに他方のアルミニウム箔製枠体側となる端部）に設けられた第１の係止用凸部１８ａと、右側のアルミニウム箔製枠体１０の左側の端部（他方のアルミニウム箔製枠体の幅方向の端部のうち他方のアルミニウム箔製枠体と一体化したときに一方のアルミニウム箔製枠体側となる端部）に設けられた第２の係止用凸部１８ｂとからなる。これら第１と第２の係止用凸部１８ａ、１８ｂはそれぞれ切り起こしから形成されている。
図５に示すように第１の係止用凸部１８ａは一対のアルミニウム箔製枠体１０、１０を一体化させたとき右側のアルミニウム箔製枠体１０側に突出しているものであり、第２の係止用凸部１８ｂは左側のアルミニウム箔製枠体１０側に突出しているものである。なお、図５は、図２のＶ−Ｖ線断面図である。
【００２８】
このストッパー１８は、図２に示すように一体化後の一対のアルミニウム箔製枠体１０、１０を最大幅まで相互にスライドさせたときに第１と第２の係止用凸部１８ａ、１８ｂ同士が突きあわされて左側のアルミニウム箔製枠体１０が右側のアルミニウム箔製枠体１０から抜けるのを防止できるようになっており、言い換えれば上部の外巻の縁巻部１２ａが上部の内巻の縁巻部１４ａから抜けるのを防止できるとともに下部の外巻の縁巻部１２ｂが下部の内巻の縁巻部１４ｂから抜けるのを防止できるようになっている。ここで第１と第２の係止用凸部１８ａ、１８ｂの突き合わせ面には、切り起こしにより形成された開口部１８ｃ、１８ｃ同士が対向している。
【００２９】
なお、一体化後の一対のアルミニウム箔製枠体の離間防止するストッパーとしては、図６に示すようなストッパー２８であってもよい。このストッパー２８が図５に示したストッパー１８と異なるところは、第１と第２の係止用凸部２８ａ、２８ｂはエンボス加工等により形成された開口部を有しない凸部であり、これら第１と第２の係止用凸部２８ａ、２８ｂの突き合わせ面にはこれら第１と第２の係止用凸部２８ａ、２８ｂ側面２８ｆ、２８ｆ同士が当接するようになっている点である。
【００３０】
また、一対のアルミニウム箔製枠体１０、１０には、図１１に示すようなレンジフード５０のフード５０ａ内の排気口５０ｂに着脱可能に配設されている金属製フィルタ本体５１、５１に取り付けた時にこれら金属製フィルタ本体５１、５１の表面に設けられたツマミ部５１ｄ、５１ｄを覆うためのツマミ部収容部３０が設けられている。
このツマミ部収容部３０は、左側のアルミニウム箔製枠体１０の下部の外周縁より内側に設けられて該枠体１０の幅方向に延びる第１の凸条３０ａと、右側のアルミニウム箔製枠体１０の下部の外周縁より内側に設けられて該枠体１０の幅方向に延びる第２の凸条３０ｂとからなり、これら第１と第２の凸条３０ａ、３０ｂは金属製フィルタ本体５１のツマミ部５１ｄの高さ以上の高さを有するものであることが好ましいが、ツマミ部５１ｄの高さと略同じ高さまたはそれ以下であってもツマミ部収容部３０がツマミ部５１ｄの高さに応じて変形して伸びることも可能であるので、ツマミ部５１ｄを覆うことができる。
また、第２の凸条３０ｂに、第１の凸条３０ａを摺動自在に嵌め入れ可能な構成とされている。従って、一対のアルミニウム箔製枠体１０、１０の一体化したときには、これら第１と第２の凸条３０ａ、３０ｂは図４に示すように第２の凸条３０ｂに、第１の凸条３０ａを摺動自在に嵌められた状態となっている。また、これら第１と第２の凸条３０ａ、３０ｂは図４に示すように曲面を有している。
【００３１】
図７は、図２のＶＩＩ−ＶＩＩ線断面図であり、上記ストッパー１８、１８のうち下方に設けられたストッパー１８は、ツマミ部収容部３０に設けられており、すなわち、第１の凸条３０ａに第１の係止用凸部１８ａが形成されており、第２の凸条３０ｂに第１の係止用凸部１８ａが形成されている。
また、図１に示すように左側のアルミニウム箔製枠体１０の左側の端部にツマミ部３１が設けられており、このツマミ部３１の裏面に磁石３２が設けられており、右側のアルミニウム箔製枠体１０の右側の端部にツマミ部３１が設けられており、このツマミ部３１の裏面にも磁石３２が設けられている。
【００３２】
上記フィルタ部材１５を構成する不織布の材質としては、ポリエステル系合成繊維、ポリエチレン系合成繊維、ポリプロピレン系合成繊維、ポリエチレンテレフタレート（ＰＥＴ）、セルロース樹脂、アルミニウム繊維、炭素繊維などのうちから選択される一種または二種以上からなるシート状不織布が挙げげられる。また、不織布の材質としては、上記の繊維や、樹脂等からなる不織布で、塩化ビニル系繊維や塩化ビニル系バインダーを含まないようにしたものから構成したのであってもよい。
【００３３】
次に、本実施形態のレンジフード用カバーの使用法及びレンジフードの排気口に取り付けられた金属製フィルタ本体への取り付け方法について説明する。なお、ここでのレンジフード用カバーの取り付け方法は、図１１に示すような６０ｃｍ幅のレンジフード５０のフード５０ａ内の金属製フィルタ本体５１、５１に取り付ける場合について説明する。
まず、図１に示すような分離された状態の一対のアルミニウム箔製枠体１０、１０のうち右側のアルミニウム箔製枠体１０に形成された上部の内巻の縁巻部１４ａに左側のアルミニウム箔製枠体１０に形成された上部の外巻の縁巻部１２ａを嵌めるとともに、右側のアルミニウム箔製枠体１０に形成された下部の内巻の縁巻部１４ｂに左側のアルミニウム箔製枠体１０に形成された下部の外巻の縁巻部１２ｂを嵌めて一体化する。このように一対のアルミニウム箔製枠体１０、１０の一体化すると、図４に示すように第２の凸条３０ｂに、第１の凸条３０ａが嵌められた状態となっている。そして、この一体化した一対のアルミニウム箔製枠体１０、１０を相互にスライドさせて、図３示すように一体化後の一対のアルミニウム箔製枠体１０、１０が６０ｃｍ幅になるようにする。
【００３４】
そして、図１１に示すように６０ｃｍ幅にした本実施形態のレンジフード用カバー４０の幅方向の両側のツマミ部３１、３１を両手でもちフード５０ａ内の排気口５０ｂに取り付けられている金属製フィルタ本体５１、５１の表面に配置して、ツマミ部３１、３１の裏面に設けられている磁石３２、３２を金属製フィルタ本体５１、５１に吸着させる。ここでレンジフード用カバー４０を金属製フィルタ本体５１、５１の表面に配置する際、ツマミ部収容部３０が下になるように配置して、金属製フィルタ本体５１、５１に設けられているツマミ部（取っ手部分）５１ｄ、５１ｄに上記ツマミ部収容部３０を被せるようにする。このようにすると本実施形態のレンジフード用カバー４０を金属製フィルタ本体５１、５１の表面に取り付けることができる。
【００３５】
また、このレンジフード用カバー４０が汚れて交換する際は、レンジフード用カバー４０の幅方向の両側のツマミ部３１、３１を両手でもち金属製フィルタ本体５１、５１からレンジフード用カバー４０を外した後、交換用のレンジフード用カバーの一対のアルミニウム箔製枠体１０、１０を先に述べた方法と同様にして一体化した後、このレンジフード用カバーを先に述べた方法と同様にしてフード５０ａ内の金属製フィルタ本体５１、５１に配置することにより容易に交換できる。
なお、ここでは本実施形態のレンジフード用カバーを６０ｃｍ幅のレンジフード内の金属製フィルタ本体に取り付ける場合について説明したが、９０ｃｍ幅のレンジフード内の金属製フィルタ本体に取り付ける場合には、図２に示すように一体化した一対のアルミニウム箔製枠体１０、１０を相互にスライドさせて９０ｃｍ幅にすれば同様にして取り付けることができる。
【００３６】
第１の実施形態のレンジフード用カバーによれば、上記右側のアルミニウム箔製枠体１０の上下の外周縁に形成された内巻の縁巻部１４ａ、１４ｂに、上記左側のアルミニウム箔製枠体１０の上下の外周縁に形成された外巻の縁巻部１２ａ、１２ｂを嵌めるだけで容易に一体化できるので、連結用クリップが不要で、連結用クリップを使用する図１２や図１３に示したような従来のレンジフード用カバーに比べて低コストとすることができる。また、上記左側のアルミニウム箔製枠体１０と右側のアルミニウム箔製枠体１０とは先に述べたように右側のアルミニウム箔製枠体１０に形成された内巻の縁巻部１４ａ、１４ｂに、左側のアルミニウム箔製枠体１０に形成された外巻の縁巻部１２ａ、１２ｂを嵌めるだけで容易に一体化できるので、図１４に示したようなレンジフード用カバーのように舌片を折り曲げるような作業もなく、一対のアルミニウム箔製枠体を一体化するために手間がかからない。
また、一体化後の一対のアルミニウム箔製枠体１０、１０においては上記右側のアルミニウム箔製枠体１０の内巻の縁巻部１４ａ、１４ｂと、これに嵌められた上記左側のアルミニウム箔製枠体１０の外巻の縁巻部１２ａ、１２ｂとの接触面積が小さく、図１５に示した従来のレンジフード用カバーに比べて一対のアルミニウム箔製枠体をスムーズに相互スライドさせることができ、また、一体化した一対のアルミニウム箔製枠体を離間後に再度一体化する際に上記右側のアルミニウム箔製枠体１０の内巻の縁巻部１４ａ、１４ｂに、上記左側のアルミニウム箔製枠体１０の外巻の縁巻部１２ａ、１２ｂを容易に嵌合することができるため、再度一体化させ易い。
【００３７】
また、本実施形態のレンジフード用カバーでは、上記のような構成のツマミ部収容部３０が設けられているので、このレンジフード用カバーをレンジフード５０のフード５０ａ内の排気口５０ｂに配設された金属製フィルタ本体５１、５１に取り付けたときにこれら金属製フィルタ本体５１、５１に設けられたツマミ部５１ｄ、５１ｄをこのツマミ部収容部３０で覆うことができるので、各金属製フィルタ本体５１のツマミ部５１ｄに油煙等が付着して汚れるのを防止でき、金属製フィルタ本体５１を清掃等の理由で排気口から取り外す際に手が汚れるのを防止できる。
さらに、本実施形態のレンジフード用カバーでは、上記のような構成のストッパー１８、１８が設けられているので、図１５（Ｃ）に示すようなストッパー８０が設けられた従来のレンジフード用カバーに比べて一体化後の一対のアルミニウム箔製枠体の離間防止効果を向上できる点で好ましい。
【００３８】
（第２の実施形態）
図８は、本発明のレンジフード用カバーの第２の実施形態の説明図で、図８（Ａ）は一対のアルミニウム箔製枠体の分離状態（一体化する前）を示す平面図であり、図８（Ｂ）はツマミ部収容部側から見た側面図である。図９はツマミ部収容部の説明図であり、図９（Ａ）は図８の第１の凸条の断面図、図９（Ｂ）は第２の凸条の断面図である。
【００３９】
第２の実施形態のレンジフード用カバーが、図１乃至図７に示した第１の実施形態のレンジフード用カバーと異なるところは、ツマミ部収容部３０を構成する第１の凸条３０ａ（左側のアルミニウム箔製枠体１０に形成された第１の凸条）に段部３０ｈが設けられ、第２の凸条３０ｂ（右側のアルミニウム箔製枠体１０に形成された第２の凸条）に段部３０ｇが設けられていることと、左側のアルミニウム箔製枠体１０の上部の外周縁近傍に設けられた第１の係止用凸部１８ａが上記枠体１０の幅方向に沿った長尺の溝１８ｃを有していることと、左側のアルミニウム箔製枠体１０の下部の外周縁近傍に設けられた第１の凸条３０ａに形成された第１の係止用凸部１８ａが上記枠体１０の幅方向に沿った長尺の溝１８ｃを有している点である。
【００４０】
第２の実施形態のレンジフード用カバーにおいては、第１の実施形態のレンジフード用カバーと同様の作用効果がある。
また、特に、この第２の実施形態のレンジフード用カバーにおいては、第１の凸条３０ａに段部３０ｈが設けられ、第２の凸条３０ｂに段部３０ｇが設けられているので、第１の凸条３０ａ（左側のアルミニウム箔製枠体１０に形成された第１の凸条）をこの第２の凸条３０ｂに嵌め入れるときに位置合わせが容易であり、また、第１の凸条３０ａを第２の凸条３０ｂに嵌め入れて摺動させるときにこれら第１と第２の凸条３０ａ、３０ｂの位置ずれが起こりにくい。
また、第１の係止用凸部１８ａ、１８ａが長尺の溝１８ｃ、１８ｃを有するようにしたことにより、ストッパーとしての機能を備えるうえ、第１の凸条３０ａを第２の凸条３０ｂに嵌め入れて摺動させたときに易摺動性とすることができ、また、一対のアルミニウム箔製枠体１０、１０を相互にスライドさせる際にスライドさせ易い。
【００４１】
（第３の実施形態）
図１０は、本発明のレンジフード用カバーの第３の実施形態の説明図で、図１０（Ａ）は一体化後の一対のアルミニウム箔製枠体を示す平面図、図１０（Ｂ）は図１０（Ａ）のＸＩＩ−ＸＩＩ線断面図である。
この第３の実施形態のレンジフード用カバーが第１の実施形態のレンジフード用カバーと異なるところは、一対のアルミニウム箔製枠体２０、２０の縦方向の大きさが第１の実施形態の一対のアルミニウム箔製枠体１０、１０の半分以下の大きさであり、また、左側のアルミニウム箔製枠体２０の上部の外周縁には内巻の縁巻部（上部の内巻の縁巻部）２２ａが形成され、下部の外周縁には内巻の縁巻部（下部の内巻の縁巻部）２２ｂが形成されたものであり、また、この第３の実施形態では第１の実施形態のようなツマミ部収容部を設けていない点である。また、各アルミニウム箔製枠体２０には、開口部１３ａが１つしか形成されてない。
【００４２】
なお、右側（他方）のアルミニウム箔製枠体２０の上部の外周縁には上記左側のアルミニウム箔製枠体２０に形成された上部の内巻の縁巻部２２ａを覆うことが可能な内巻の縁巻部（上部の内巻の縁巻部）１４ａが形成され、下部の外周縁には上記左側のアルミニウム箔製枠体２０に形成された下部の外巻の縁巻部２２ｂを覆うことが可能な内巻の縁巻部（下部の内巻の縁巻部）１４ｂが形成されている。また、右側のアルミニウム箔製枠体２０の上下の外周縁に形成された内巻の縁巻部１４ａ、１４ｂの先端にそれぞれ外巻の縁巻部１６が形成されている。
【００４３】
この第３の実施形態のレンジフード用カバーは、一対のアルミニウム箔製枠体２０、２０の縦方向の大きさが第１の実施形態の一対のアルミニウム箔製枠体１０、１０の半分以下の大きさであるので、図１１のようなレンジフード５０のフード５０ａ内の金属製フィルタ本体５１、５１に取り付けるには、図１０に示すように一対のアルミニウム箔製枠体２０、２０を一体化後のレンジフード用カバーを２個用意し、これら２個のレンジフード用カバーを金属製フィルタ５１、５１の表面に並列して配置することにより取り付けることができる。
【００４４】
第３の実施形態のレンジフード用カバーによれば、上記右側のアルミニウム箔製枠体２０の上下の外周縁に形成された内巻の縁巻部１４ａ、１４ｂに、上記左側のアルミニウム箔製枠体２０の上下の外周縁に形成された内巻の縁巻部２２ａ、２２ｂを嵌めるだけで容易に一体化できるので、連結用クリップが不要で、連結用クリップを使用する図１２や図１３に示したような従来のレンジフード用カバーに比べて低コストとすることができる。また、上記左側のアルミニウム箔製枠体２０と右側のアルミニウム箔製枠体２０とは先に述べたように右側のアルミニウム箔製枠体２０に形成された内巻の縁巻部１４ａ、１４ｂに、左側のアルミニウム箔製枠体２０に形成された内巻の縁巻部２２ａ、２２ｂを嵌めるだけで容易に一体化できるので、図１４に示したようなレンジフード用カバーのように舌片を折り曲げるような作業もなく、一対のアルミニウム箔製枠体を一体化するために手間がかからない。
また、一体化後の一対のアルミニウム箔製枠体２０、２０においては上記右側のアルミニウム箔製枠体２０の内巻の縁巻部１４ａ、１４ｂと、これに嵌められた上記左側のアルミニウム箔製枠体２０の内巻の縁巻部２２ａ、２２ｂとの接触面積が小さく、図１５に示した従来のレンジフード用カバーに比べて一対のアルミニウム箔製枠体をスムーズに相互スライドさせることができ、また、一体化した一対のアルミニウム箔製枠体を離間後に再度一体化する際に上記右側のアルミニウム箔製枠体１０の内巻の縁巻部１４ａ、１４ｂに、上記左側のアルミニウム箔製枠体２０の内巻の縁巻部２２ａ、２２ｂを容易に嵌合することができるため、再度一体化させ易い。
【００４５】
また、本実施形態のレンジフード用カバーにおいても、第１の実施形態と同様に第１の係止用凸部１８ａ、第２の係止用凸部１８ｂからなるストッパーが複数設けられているので、図１５（Ｃ）に示すようなストッパー８０が設けられた従来のレンジフード用カバーに比べて一体化後の一対のアルミニウム箔製枠体の離間防止効果を向上できる点で好ましい。
また、特に、本実施形態のレンジフード用カバーは、一対のアルミニウム箔製枠体２０、２０の縦方向の大きさが第１の実施形態で用いた一対のアルミニウム箔製枠体１０、１０の縦方向の大きさの半分以下の大きさであるので、小型であり、従って持ち運びに便利であり、保管時に場所をとらないといった利点がある。
【００４６】
【発明の効果】
以上説明したように本発明のレンジフード用カバーによれば、上記他方のアルミニウム箔製枠体の上下の外周縁に形成された内巻の縁巻部に、上記一方のアルミニウム箔製枠体の上下の外周縁に形成された外巻又は内巻の縁巻部を嵌めるだけで容易に一体化できるので、連結用クリップが不要で、連結用クリップを使用する従来のレンジフード用カバーに比べて低コストとすることができる。
また、上記一方のアルミニウム箔製枠体と他方のアルミニウム箔製枠体とは上記のように上記他方のアルミニウム箔製枠体に形成された内巻の縁巻部に、上記一方のアルミニウム箔製枠体に形成された外巻又は内巻の縁巻部を嵌めるだけで容易に一体化できるので、従来のレンジフード用カバーのように舌片を折り曲げるような作業もなく、一対のアルミニウム箔製枠体を一体化するために手間がかからない。
また、一体化後の一対のアルミニウム箔製枠体においては上記他方のアルミニウム箔製枠体の内巻の縁巻部と、これに嵌められた上記一方のアルミニウム箔製枠体の外巻又は内巻の縁巻部との接触面積が小さく、図１５に示したような従来のレンジフード用カバーに比べて一対のアルミニウム箔製枠体をスムーズに相互スライドさせることができ、また、一体化した一対のアルミニウム箔製枠体を離間後に再度一体化する際に上記他方のアルミニウム箔製枠体の内巻の縁巻部に、上記一方のアルミニウム箔製枠体の外巻又は内巻の縁巻部を容易に嵌合することができるため、再度一体化させ易い。
【００４７】
また、本発明のレンジフード用カバーにおいて、上記のような構成のツマミ部収容部が設けられたものにあっては、このレンジフード用カバーをレンジフードのフード内の排気口に配設されたフィルタ本体に取り付けたときにこのフィルタ本体に設けられたツマミ部が上記ツマミ部収容部で覆われるので、上記フィルタ本体のツマミ部に油煙等が付着して汚れるのを防止でき、上記フィルタ本体を清掃等の理由で排気口から取り外す際に手が汚れるのを防止できる。
また、本発明のレンジフード用カバーにおいて、上記のような構成のストッパーが複数設けられたものにあっては、図１５（Ｃ）に示すようなストッパーが設けられた従来のレンジフード用カバーに比べて一体化後の一対のアルミニウム箔製枠体の離間防止効果を向上できる点で好ましい。
【図面の簡単な説明】
【図１】 本発明のレンジフード用カバーの第１の実施形態を示す図で、一対のアルミニウム箔製枠体の分離状態（一体化する前）を示す平面図。
【図２】  一体化後の一対のアルミニウム箔製枠体を最大幅の９０ｃｍ幅まで相互にスライドさせた状態を示す平面図。
【図３】  一体化後の一対のアルミニウム箔製枠体を６０ｃｍ幅まで相互にスライドさせた状態を示す平面図。
【図４】  図３のＩＶ−ＩＶ線断面図。
【図５】  ストッパーの例を示す説明図で、図２のＶ−Ｖ線断面図。
【図６】  ストッパーのその他の例を示す説明図。
【図７】  ツマミ部収容部に設けられたストッパーの説明図で、図２のＶＩＩ−ＶＩＩ線断面図。
【図８】  本発明のレンジフード用カバーの第２の実施形態の説明図で、図８（Ａ）は一対のアルミニウム箔製枠体の分離状態（一体化する前）を示す平面図であり、図８（Ｂ）はツマミ部収容部側から見た側面図。
【図９】  図８のレンジフード用カバーに設けられたツマミ部収容部の説明図であり、図９（Ａ）は図８の第１の凸条の断面図、図９（Ｂ）は第２の凸条の断面図。
【図１０】  本発明のレンジフード用カバーの第３の実施形態の説明図で、図１０（Ａ）は一体化後の一対のアルミニウム箔製枠体を示す平面図、図１０（Ｂ）は図１０（Ａ）のＸＩＩ−ＸＩＩ線断面図。
【図１１】  本発明の実施形態のレンジフード用カバーをフィルタ本体に取り付ける方法の説明図。
【図１２】  従来のレンジフード用カバーの例を示す図で、（Ａ）は一対の枠体を一体化（連結）させた状態のレンジフード用カバーを示す平面図、（Ｂ）は連結用クリップとこれに嵌められた各枠体の内巻縁巻部を示す断面図。
【図１３】  従来のレンジフード用カバーのその他の例を示す図で、（Ａ）は一対の枠体を一体化（連結）した状態を示す平面図、（Ｂ）は連結用クリップで一対の枠体を連結する方法を示す斜視図。
【図１４】  従来のレンジフード用カバーのさらにその他の例を示す図で、一対の枠体の分離状態を示す平面図。
【図１５】  従来のレンジフード用カバーのさらにその他の例を示す図で、（Ａ）は一対の枠体を一体化（連結）した状態を示す平面図、（Ｂ）は図１５（Ａ）のＸ−Ｘ線断面図、（Ｃ）は図１５（Ａ）のＹ−Ｙ線断面図。
【符号の説明】
１０，２０・・・アルミニウム箔製枠体、１２ａ・・・外巻の縁巻部（上部の外巻の縁巻部）、１２ｂ・・・外巻の縁巻部（下部の外巻の縁巻部）、１３ａ・・・開口部、１４ａ・・・内巻の縁巻部（上部の内巻の縁巻部）、１４ｂ・・・内巻の縁巻部（下部の内巻の縁巻部）、１５・・・フィルタ部材、１６・・・外巻の縁巻部、１８，２８・・・ストッパー、１８ａ・・・第１の係止用凸部、１８ｂ・・・第２の係止用凸部、１８ｃ・・・開口部、２２ａ・・・内巻の縁巻部（上部の内巻の縁巻部）、２２ｂ・・・内巻の縁巻部（下部の内巻の縁巻部）、２８ｆ・・・側面、３０・・・ツマミ部収容部、３０ａ・・・第１の凸条、３０ｂ・・・第２の凸条、３０ｇ，３０ｈ・・・段部、３１・・・ツマミ部、３２・・・磁石、４０・・・レンジフード用カバー、５０・・・レンジフード、５０ａ・・・フード、５０ｂ・・・排気口、５１・・・金属製フィルタ本体（剛性を有するフィルタ本体）、５１ｃ・・・表面、５１ｄ・・・ツマミ部。
【図１】
0004219575.tif 000002
【図２】
0004219575.tif 000003
【図３】
0004219575.tif 000004
【図４】
0004219575.tif 000005
【図５】
0004219575.tif 000006
【図６】
0004219575.tif 000007
【図７】
0004219575.tif 000008
【図８】
0004219575.tif 000009
【図９】
0004219575.tif 000010
【図１０】
0004219575.tif 000011
【図１１】
0004219575.tif 000012
【図１２】
0004219575.tif 000013
【図１３】
0004219575.tif 000014
【図１４】
0004219575.tif 000015
【図１５】
0004219575.tif 000016